(57)【特許請求の範囲】
【請求項１】
バストを覆うためのカップ部を有し、少なくともバストを覆う本体部と、
前記本体部の背部裏側に設けられ、着用状態において、第７〜第９胸椎のうちの少なくとも何れかに相当する部分に当接する突出部と、
を備え、
前記本体部の背部は伸縮性を有し、
前記突出部は、着用状態において前記本体部の背部が伸縮する力を利用して湾曲状に突出する、
姿勢補整機能を有する衣類。
【請求項２】
前記突出部は、着用状態において、前記本体部の背部が伸長することに伴って、当該伸長方向と交差する方向に縮小する力を利用して突出する、
請求項１に記載の姿勢補整機能を有する衣類。
【請求項３】
前記突出部は、平面視長方形状をなしており、
前記突出部における縮小方向に対向する２つの端部が前記本体部に結合されており、前記突出部におけるその他の部分が前記本体部に対して遊離している、
請求項２に記載の姿勢補整機能を有する衣類。
【請求項４】
前記突出部の突出を補助する補助部であって、前記本体部の背部に結合され、前記突出部における縮小方向の一方の端部から前記縮小方向のもう一方の端部又は当該もう一方の端部の延長線上へ向けて斜め方向に延在する当該補助部を更に備え、
前記補助部は、着用状態において、前記本体部の背部が伸縮する力を利用して、前記突出部の突出を補助する、
請求項２又は３に記載の姿勢補整機能を有する衣類。
【請求項５】
前記本体部は、背部引上部を更に備え、
前記背部引上部は、前記本体部における背部上辺部脇側及び背部下辺部脇側に結合されている、
請求項２〜４の何れか１項に記載の姿勢補整機能を有する衣類。
【発明の詳細な説明】
【技術分野】
【０００１】
本発明は、バストを覆うためのカップ部を有する衣類であって、姿勢補整機能を有する衣類に関するものである。
【背景技術】
【０００２】
特許文献１には、姿勢補整機能を有する衣類として、強い緊締力を有する帯状の緊締部を備える姿勢改善サポート衣類が開示されている。特許文献１に開示の姿勢改善サポート衣類では、緊締部は、第７〜第９胸椎のうちの少なくとも何れかから左右下方へ延び、左右の肋骨下部を通り、下腹部中央において連結する。この姿勢改善サポート衣類によれば、緊締部によって第７〜第９胸椎と下腹部中央とを引き合うので、脊柱起立筋群と腹筋群とを同時にサポートすると共に、脊柱起立筋群と腹筋群とに同時に働きかけて収縮を促すように作用する。特に、腹筋群に働きかけて腹圧を高めることができる。その結果、胸椎の後湾及び腰椎の前湾を軽減し、背筋を伸ばすことができると共に下腹部を引き締めることができる。
【０００３】
また、特許文献２には、姿勢補整機能を備える衣類として、コルセット等の特殊装具が開示されている。特許文献２に開示の特殊装具は、背骨のゆがみ治療（トリートメント）のための装具であり、上半身に装着する被服体と、被服体の背部とベルト部にそれぞれ配置されたエアバックとを備える。これにより、着用者の背中と腰の２箇所を同時に押圧することができ、背筋を十分に伸ばし、背骨全体の矯正を効果的に行うことができるとしている。
【先行技術文献】
【特許文献】
【０００４】
【特許文献１】特開２０１０−２６１１１８号公報
【特許文献２】特開２００４−３０５３２６号公報
【発明の概要】
【発明が解決しようとする課題】
【０００５】
ところで、特に女性においては、姿勢を良くしたいと思う人が多いが、長時間にわたって、姿勢を意識し続けることは大変である。そこで、姿勢補整機能を備える衣類が要望されているが、上述した姿勢補整機能を備える衣類では以下のような問題がある。
【０００６】
すなわち、特許文献１又は２に開示の衣類では、
・しっかりした素材や締付力の強い素材、またパワー切替により締付力をもたせている、
・働きかける位置がずれないように、締め付けている（たすきがけのように肩で引き上げる・本体部全体で固定する）、及び、
・姿勢を良くするため、広い範囲にパワーを持たせている、
等により、締付感がきつく、着用感が犠牲になってしまう。
【０００７】
また、特許文献１又は２に開示の衣類では、
・肩ベルトが必須のものは、肩の露出度の高い衣類を着用できない、
・パワーをもたせている部分が、表からわかるため、見栄えが悪い、
・厚みがあると、アウターの上から形がわかる、
等により、アウターが制限されてしまったり、見栄えが損なわれてしまったりする。
【０００８】
そこで、本発明は、楽な着用感及び見栄えを損なうことなく、姿勢を補整することが可能な姿勢補整機能を有する衣類を提供することを目的としている。
【課題を解決するための手段】
【０００９】
本発明の姿勢補整機能を有する衣類は、バストを覆うためのカップ部を有し、少なくともバストを覆う本体部と、本体部の背部裏側に設けられ、着用状態において、第７〜第９胸椎のうちの少なくとも何れかに相当する部分に当接する突出部とを備える。
【００１０】
第７〜第９胸椎は、背中のＳ字曲線の後湾近傍部分であり、動作時に上半身の動きの支点（上半身の質量重心点）となり、背骨の中でも動き難い部位である。この姿勢補整機能を有する衣類によれば、突出部によって、第７〜第９胸椎のうちの少なくとも何れかをピンポイントで前方に押すことにより、効果的に姿勢を整えることができる。具体的には、胸が左右方向に開く（胸が張れる）と同時に、脊柱の後湾部分が上下方向に伸び（背すじが伸びる）、深呼吸をした時のような、美しい上半身姿勢に近づく。さらに、脊柱が伸びることで、上半身質量重心点（第７〜９胸椎）が下半身の質量重心点に上手く乗るようになり、その結果として、全身の姿勢バランスを整えることができる。
【００１１】
また、この姿勢補正機能を有する衣類によれば、突出部は、第７〜９胸椎のうちの少なくとも何れかに当接すれば良いため、広い面積で背中を押す必要もない。そのため、表から見ても姿勢補正機能のある部分がわかりにくく、見栄えを損なうことがない。また、突出部が背骨の中でも動き難い部位に位置し、カップ部（より具体的には、カップくり）によって、本体部が着用者の胸部周りを回転することを抑制することができるので、強く締め付けることによって突出部を固定させる必要がない。そのため、楽な着用感を損なうことがない。また、突出部を第７〜９胸椎のいずれかに当接させるために、ストラップ等の引き上げ力を必要としないので、肩紐のないアイテムにも応用することができ、肩の露出度の高い衣類を着用する場合に好適である。
【００１２】
上記した本体部の背部は伸縮性を有し、上記した突出部は、着用状態において本体部の背部が伸縮する力を利用して湾曲状に突出してもよい。この構成によれば、着用する際に本体部が伸縮する力を利用して、突出部を肌側に突出させるので、更に楽な着用感で姿勢を整えることができる。
【００１３】
また、上記した突出部は、着用状態において、本体部の背部が伸長することに伴って、当該伸長方向と交差する方向に縮小する力を利用して突出してもよい。
【００１４】
また、上記した突出部は、平面視長方形状をなしており、突出部における縮小方向に対向する２つの端部が本体部に結合されており、突出部におけるその他の部分が本体部に対して遊離していてもよい。
【００１５】
上記した姿勢補整機能を有する衣類は、突出部の突出を補助する補助部であって、本体部の背部に結合され、突出部における縮小方向の一方の端部から縮小方向のもう一方の端部又は当該もう一方の端部の延長線上へ向けて斜め方向に延在する当該補助部を更に備え、補助部は、着用状態において、本体部の背部が伸縮する力を利用して、突出部の突出を補助する形態であってもよい。
【００１６】
例えば、着用の際に本体部が横方向に伸長することに伴って、縦方向に縮小する力を利用して突出部を突出させるとする。この構成によれば、本体部が伸縮する力を利用して、斜めに延在する補助部が更に倒れ込む。その結果、突出部の上下端部（縮小方向の端部）同士を近づける方向へ押す力が作用し、突出部の突出を補助することができる。
【００１７】
上記した本体部は背部引上部を更に備え、背部引上部は、本体部における背部上辺部脇側及び背部下辺部脇側に結合されていてもよい。
【００１８】
例えば、着用の際に本体部が横方向に伸長することに伴って、縦方向に縮小する力を利用して突出部を突出させるとする。この場合、ストラップにより本体部の背部上辺のみを上方向に引くと、本体部が縦方向に縮小する力を阻害してしまう。しかしながら、この構成によれば、ストラップにより本体部の背部を引く力を背部下辺を引く力に分散することができるので、本体部が縦方向に縮小する力を阻害することを抑制することができる。
【発明の効果】
【００１９】
本発明によれば、楽な着用感及び見栄えを損なうことなく、姿勢を補整することができる。
【図面の簡単な説明】
【００２０】
【図１】本発明の第１の実施形態に係る姿勢補整衣類の裏側を示す斜視図であって、（ａ）前面から示す斜視図、（ｂ）背面から示す斜視図である。
【図２】図１に示す突出部材を拡大して示す拡大図である。
【図３】図１に示す突出部材及び補助部材であって、（ａ）非着用状態における突出部材及び補助部材、（ｂ）着用状態における突出部材及び補助部材を示す図である。
【図４】人体の胸椎および胸郭を示す図である。
【図５】着用者の姿勢であって、（ａ）第１の実施形態の姿勢補整衣類を着用していないときの姿勢、（ｂ）第１の実施形態の姿勢補整衣類を着用するときの姿勢を示す図である。
【図６】本発明の第２の実施形態に係る姿勢補整衣類の裏側を示す図であって、（ａ）前面から示す図、（ｂ）背面から示す図である。
【図７】本発明の第３の実施形態に係る姿勢補整衣類の裏側を示す図であって、（ａ）前面から示す図、（ｂ）背面から示す図である。
【図８】本発明の第４の実施形態に係る姿勢補整衣類を展開して示す展開図であって、（ａ）裏側を展開して示す展開図、（ｂ）表側を展開して示す展開図である。
【図９】第１の実施形態の変形例に係る姿勢補整衣類の裏側を背面から示す斜視図である。
【図１０】本発明の第５の実施形態に係る姿勢補整衣類の裏側を示す図であって、（ａ）前面から示す図、（ｂ）背面から示す図である。
【図１１】突出部材の変形例を示す縦断面図である。
【図１２】突出部材の変形例を示す図である。
【図１３】突出部材の変形例を示す図である。
【図１４】突出部材の変形例を示す図である。
【図１５】補助部材の変形例を示す図である。
【図１６】第２の実施形態の変形例に係る姿勢補整衣類の裏側を背面から示す図である。
【図１７】本発明に係る実施例の評価結果を示す図である。
【発明を実施するための形態】
【００２１】
以下、図面を参照して本発明の好適な実施形態について詳細に説明する。なお、各図面において同一又は相当の部分に対しては同一の符号を附すこととする。
［第１の実施形態］
【００２２】
図１（ａ）は、本発明の第１の実施形態に係る姿勢補整衣類の裏側を前面から示す斜視図であり、図１（ｂ）は、本発明の第１の実施形態に係る姿勢補整衣類の裏側を背面から示す斜視図である。この姿勢補整衣類１は、本体部１０と、突出部材（突出部）２０と、補助部材（補助部）３１，３２とを備えている。
【００２３】
本体部１０は、いわゆるチューブブラ型の衣類である主本体部１１０と、主本体部１１０の裏側に設けられ、着用者の胸部を周回する裏本体部１２０との２重構造をなしている。主本体部１１０及び裏本体部１２０は、伸縮性を有する生地（例えば、パワーネット、サテンパワーネット、ベア天竺等）からなっており、着用者にフィットするように形成されている。主本体部１１０及び裏本体部１２０は、前身頃と後身頃とを有し、これらを両脇側の縫合ラインＬ１に沿って縫合することにより形成されている。
【００２４】
裏本体部１２０は、例えば、前身頃及び後身頃の上辺部において主本体部１１０の上辺部に縫着されており、裏本体部１２０の他の部分は主本体部１１０に対して遊離している。裏本体部１２０の前身頃において、着用者のバストに対応する位置には、一対のカップ部１２が設けられている。また、本体部１０の前身頃及び後身頃の上辺部、下辺部には、伸縮性のテープ部材１０ｆｕ，１０ｆｌ，１０ｂｕ，１０ｂｌが縫着されており、一対のカップ部１２の下辺部にもテープ部材１２ｌが縫着されており、これらのテープ部材により着用者へのフィット性が高められている。また、裏本体部１２０の後身頃には、突出部材２０及び補助部材３１，３２が設けられている。なお、主本体部１１０と裏本体部１２０とは、両脇側の縫合ラインＬ１において縫着されていてもよいし、縫着されていなくてもよい。また、本体部１０は１重構造であってもよい。
【００２５】
図２は、突出部材２０を拡大して示す拡大図である。また、図３（ａ）は、非着用状態における突出部材２０及び補助部材３１，３２を示す図であり、図３（ｂ）は、着用状態における突出部材２０及び補助部材３１，３２を示す図である。
【００２６】
突出部材２０は、平面視略長方形状をなしており、裏本体部１２０の後身頃における後中心近傍に配置されている。突出部材２０は、上部と下部とにおいて裏本体部１２０の後身頃に縫着されており（縫着記号Ｓ１）、その他の部分は裏本体部１２０と遊離している。突出部材２０は、非着用状態において平面状をなしている。一方、着用状態においては、裏本体部１２０が伸縮する力を利用して、突出部材２０における上下方向の中央部２０ｃが、湾曲状に突出する。より具体的には、着用状態において、裏本体部１２０が左右方向に伸長することに伴って、上下方向に縮小する力を利用して、上端部２０ｕ及び下端部２０ｌが近づき、中央部２０ｃが湾曲状に突出する。これにより、突出部材２０の中央部２０ｃは、着用者の第７〜第９胸椎のうちの少なくとも何れかに相当する部分に当接することとなる。
【００２７】
突出部材２０には、湾曲状に突出する形状を保持可能な素材、例えば、不織布やウレタン等が適用可能である。また、突出部材２０は、ポリウレタン等の樹脂シート２１を更に内蔵してもよい。この場合、樹脂シート２１の上部及び下部は、裏本体部１２０の後身頃に対する突出部材２０の上部及び下部の縫着と共に、突出部材２０に縫着されればよい（縫着記号Ｓ１）。これにより、突出部材２０は更に可とう性を有することができ、突出した形状を保持しやすくなる。
【００２８】
補助部材３１，３２は、難伸縮性のテープ部材からなり、裏本体部１２０の後身頃に縫着されている。補助部材３１は、突出部材２０の上端部２０ｕに沿って左右方向に延在し、上端部２０ｕから中央線Ｌへ向けて斜め下方脇側方向に延在し、更には、下端部２０ｌの延長線上へ向けて斜め下方に延在している。一方、補助部材３２は、突出部材２０の下端部２０ｌに沿って左右方向に延在し、下端部２０ｌから中央線Ｌへ向けて斜め上方脇側方向に延在し、更には、上端部２０ｕの延長線上へ向けて斜め上方に延在している。ここで、中央線Ｌは、突出部材２０の上端辺と下端辺との中央部において、これらの上端辺及び下端辺に略平行に延びるものとする。
【００２９】
補助部材３１，３２は裏本体部１２０より伸びにくいため、着用状態において、裏本体部１２０が横方向に伸長した際に、補助部材３１，３２には縦方向へ縮小する力が集中的にかかる。これにより、補助部材３１，３２は、着用状態において、裏本体部１２０が伸縮する力を利用して、すなわち、裏本体部１２０が左右方向に伸長し、かつ、上下方向に縮小する力を利用して、更に倒れ込む。その結果、補助部材３１によって、突出部材２０の上端部２０ｕを中央線Ｌ側に押す力が作用し、補助部材３２によって、突出部材２０の下端部２０ｌを中央線Ｌ側に押す力が作用する。その結果、補助部材３１，３２は、突出部材２０の中央部２０ｃが湾曲状に突出することを補助することとなる。
【００３０】
ここで、図４及び図５（ａ）に示すように、第７〜第９胸椎Ａは、背中のＳ字曲線の後湾近傍部分であり、動作時に上半身の動きの支点（上半身の質量重心点）となり、背骨の中でも動き難い部位である。この第１の実施形態の姿勢補整衣類１によれば、図５（ｂ）に示すように、突出部材２０によって、第７〜第９胸椎のうちの少なくとも何れかをピンポイントで前方に押すことにより、効果的に姿勢を整えることができる。具体的には、胸が左右方向に開く（胸が張れる）と同時に、脊柱の後湾部分が上下方向に伸び（背すじが伸びる）、深呼吸をした時のような、美しい上半身姿勢に近づく。さらに、脊柱が伸びることで、上半身質量重心点（第７〜９胸椎）が下半身の質量重心点に上手く乗るようになり、その結果として、全身の姿勢バランスを整えることができる。
【００３１】
また、この第１の実施形態の姿勢補整衣類１によれば、突出部材２０は、第７〜９胸椎のうちの少なくとも何れかに当接すれば良いため、広い面積で背中を押す必要もない。そのため、表から見ても姿勢補正機能のある部分がわかりにくく、見栄えを損なうことがない。また、突出部材２０が背骨の中でも動き難い部位に位置し、カップ部１２（より具体的には、カップくり）によって、本体部１０が着用者の胸部周りを回転することを抑制することができるので、強く締め付けることによって突出部材を固定させる必要がない。そのため、楽な着用感を損なうことがない。また、突出部材を第７〜９胸椎のいずれかに当接させるために、ストラップ等の引き上げ力を必要としないので、肩紐のないアイテムにも応用することができ、肩の露出度の高い衣類を着用する場合に好適である。
【００３２】
また、第１の実施形態の姿勢補整衣類１によれば、非着用状態において、突出部材２０がフラットな状態であるので、姿勢補正機能を持たせた部分が目立ちにくく、様々なアイテムに応用が可能である。
【００３３】
なお、本実施形態では、いわゆるチューブブラ型の衣類を例示したが、本実施形態の特徴は、いわゆるチューブトップ型やキャミソール型の衣類等の様々なタイプの衣類に適用可能である。図６（ａ）及び図６（ｂ）に第２の実施形態としてチューブトップ型の衣類の一例を、図７（ａ）及び図７（ｂ）に第３の実施形態としてキャミソール型の衣類の一例を示す。
［第２の実施形態］
【００３４】
図６（ａ）は、本発明の第２の実施形態に係る姿勢補整衣類の裏側を前面から示す図であり、図６（ｂ）は、本発明の第２の実施形態に係る姿勢補整衣類の裏側を背面から示す図である。この姿勢補整衣類２は、姿勢補整衣類１において、チューブブラ型の本体部１０に代えてチューブトップ型の本体部１０Ａを備えている点で第１の実施形態と異なっている。
【００３５】
本体部１０Ａは、いわゆるチューブトップ型の衣類である主本体部１１０Ａと、主本体部１１０Ａの裏側に設けられ、上述した裏本体部１２０と同様に着用者の胸部を周回する裏本体部１２０Ａとの２重構造をなしている。例えば、裏本体部１２０Ａは、前身頃及び後身頃の上辺部において主本体部１１０Ａの上辺部に縫着されており、裏本体部１２０Ａの他の部分は主本体部１１０Ａに対して遊離している。裏本体部１２０Ａの前身頃において、着用者のバストに対応する位置には、一対のカップ部１２が設けられている。また、裏本体部１２０Ａの前身頃及び後身頃の上辺部、下辺部には、伸縮性のテープ部材１０ｆｕ，１０ｆｌ，１０ｂｕ，１０ｂｌが縫着されており、一対のカップ部１２の下辺部にもテープ部材１２ｌが縫着されており、これらのテープ部材により着用者へのフィット性が高められている。また、この裏本体部１２０Ａの後身頃に、突出部材２０及び補助部材３１，３２が設けられている。なお、主本体部１１０Ａと裏本体部１２０Ａとは、前身頃と後身頃との両脇側の縫合ラインにおいて縫着されていてもよいし、縫着されていなくてもよい。また、本体部１０Ａは１重構造であってもよい。
【００３６】
この第２の実施形態の姿勢補整衣類２でも、第１の実施形態の姿勢補整衣類１と同様の利点を得ることができる。
［第３の実施形態］
【００３７】
図７（ａ）は、本発明の第３の実施形態に係る姿勢補整衣類の裏側を前面から示す図であり、図７（ｂ）は、本発明の第３の実施形態に係る姿勢補整衣類の裏側を背面から示す図である。この姿勢補整衣類３は、姿勢補整衣類１において、チューブブラ型の本体部１０に代えてキャミソール型の本体部１０Ｂを備えている点で第１の実施形態と異なっている。
【００３８】
本体部１０Ｂは、いわゆるキャミソール型の衣類である主本体部１１０Ｂと、主本体部１１０Ｂの裏側に設けられ、上述した裏本体部１２０と同様に着用者の胸部を周回する裏本体部１２０Ｂとの２重構造をなしている。例えば、裏本体部１２０Ｂは、前身頃の脇側上辺部から後身頃の上辺部にわたって主本体部１１０Ｂの上辺部に縫着されており、裏本体部１２０Ｂの他の部分は主本体部１１０Ｂに対して遊離している。裏本体部１２０Ｂの前身頃において、着用者のバストに対応する位置には、一対のカップ部１２が設けられている。また、裏本体部１２０Ｂの前身頃及び後身頃の下辺部には、伸縮性のテープ部材１０ｆｌ，１０ｂｌが縫着されており、一対のカップ部１２の下辺部にもテープ部材１２ｌが縫着されており、これらのテープ部材により着用者へのフィット性が高められている。また、この裏本体部１２０Ｂの後身頃に、突出部材２０及び補助部材３１，３２が設けられている。なお、主本体部１１０Ｂと裏本体部１２０Ｂとは、前身頃と後身頃との両脇側の縫合ラインにおいて縫着されていてもよいし、縫着されていなくてもよい。また、本体部１０Ｂは１重構造であってもよい。
【００３９】
この第３の実施形態の姿勢補整衣類３でも、第１の実施形態の姿勢補整衣類１と同様の利点を得ることができる。
［第４の実施形態］
【００４０】
図８（ａ）は、本発明の第４の実施形態に係る姿勢補整衣類の裏側を展開して示す展開図であり、図８（ｂ）は、本発明の第４の実施形態に係る姿勢補整衣類の表側を展開して示す展開図である。この姿勢補整衣類４は、本体部１０Ｃと、突出部材（突出部）２０と、補助部材３１，３２とを備えている。
【００４１】
本体部１０Ｃは、いわゆるレーサーバック型及びフロントホック型のブラジャーであり、カップ部１２と、土台部１４と、バック部１６と、バック引上部（背部引上部）１７と、肩紐部１８とを有している。
【００４２】
カップ部１２は、バストを覆うためのものであり、土台部１４に支持されている。土台部１４は、非伸縮性の布からなっており、カップ部１２の下部から脇側にかけてカップ部１２と縫着されている。土台部１４の脇側には、バック部１６が縫着されている。なお、土台部１４は必ずしも備えなくてもよい。その場合、バック部１６は、カップ部１２の下辺部脇側に縫着される。バック部１６は、伸縮性の布からなっており、背中を周回して土台部１４及びカップ部１２を支持するためのものである。バック部１６には、伸縮性の布からなるバック引上部１７が縫着されており、カップ部１２の脇側上部には、伸縮性のテープ部材や紐等からなる肩紐部１８が縫着されている。バック引上部１７と肩紐部１８とは、肩を介して連結されることによって、カップ部１２を支持する。
【００４３】
また、カップ部１２と土台部１４との境界には、すなわち、バージスラインに沿ってカップワイヤー４０が装着されている。なお、カップワイヤー４０は必ずしも備えなくてもよい。
【００４４】
また、この本体部１０Ｃのバック部１６に、突出部材２０及び補助部材３１，３２が設けられている。
【００４５】
本実施形態では、バック部１６とバック引上部１７とがレーサーバック部を構成する。バック引上部１７は、バック部１６における背部上辺部脇側及び背部下辺部脇側に縫着されている。すなわち、バック引上部１７は、バック部１６における突出部材２０の上部近傍の背部上辺部中央には縫着しない。そのため、バック引き上げ部１７によるバック部１６を引き上げる力が、突出部材２０に伝わりにくくなる。更に、バック引き上げ部１７の下辺部において、突出部材の下部近傍の背部下辺部中央からも遊離させると、より好ましい。
【００４６】
この第４の実施形態の姿勢補整衣類４でも、突出部材２０及び補助部材３１，３２を備えているので、第１の実施形態の姿勢補整衣類１と同様の利点を得ることができる。
【００４７】
ここで、例えば、着用の際に本体部が横方向に伸長することに伴って、縦方向に縮小する力を利用して突出部材を突出させるとする。この場合、ストラップにより本体部の背部上辺のみを上方向に引くと、本体部が縦方向に縮小する力を阻害してしまう。
【００４８】
しかしながら、第４の実施形態の姿勢補整衣類４によれば、バック引上部１７が、バック部１６における背部下辺部にも縫着されているため、ストラップにより本体部１０Ｃの背部を引く力を背部下辺を引く力に分散することができ、本体部１０Ｃが縦方向に縮小する力を阻害することを抑制することができる。更に、バック引上部１７が、バック部１６における背部上辺部中央及び背部下辺部中央から遊離することにより、バック引上部１７によるバック部１６を引き上げる力が、突出部材に伝わりにくくなる。
【００４９】
なお、第１〜第４の実施形態では、突出部材２０及び補助部材３１，３２を備える形態を例示したが、図９に示すように、補助部材３１，３２を必ずしも備えなくてもよい。
【００５０】
第１〜第４の実施形態では、横方向に伸長することに伴って縦方向に縮小する力を利用する形態を例示したが、縦方向に伸長することに伴って横方向に縮小する力を利用してもよい。
［第５の実施形態］
【００５１】
図１０（ａ）は、本発明の第５の実施形態に係る姿勢補整衣類の裏側を前面から示す図であり、図１０（ｂ）は、本発明の第５の実施形態に係る姿勢補整衣類の裏側を背面から示す図である。この姿勢補整衣類５は、本体部１０Ｄと、突出部材（突出部）２０Ｄと、補助部材（補助部）３１Ｄ，３２Ｄとを備えている。
【００５２】
本体部１０Ｄは、いわゆるタンクトップ型の衣類である主本体部１１０Ｄと、主本体部１１０Ｄの裏側に設けられた裏本体部１２０Ｄとの２重構造をなしている。裏本体部１２０Ｄは、上述した裏本体部１２０と同様に、着用者の胸部を周回している。主本体部１１０Ｄ及び裏本体部１２０Ｄは、伸縮性を有する生地（例えば、パワーネット、サテンパワーネット、ベア天竺等）からなっており、着用者にフィットするように形成されている。
【００５３】
主本体部１１０Ｄ及び裏本体部１２０Ｄにおける背部は、レーサーバック型をなしている。例えば、裏本体部１２０Ｄは、アームホール及びネックラインにわたって主本体部１１０Ｄの脇辺部及び襟部に縫着されており、裏本体部１２０Ｄの他の部分は主本体部１１０Ｄに対して遊離している。裏本体部１２０Ｄの前身頃において、着用者のバストに対応する位置には、一対のカップ部１２が設けられている。また、裏本体部１２０Ｄの前身頃及び後身頃の下辺部には、伸縮性のテープ部材１０ｆｌ，１０ｂｌが縫着されており、一対のカップ部１２の下辺部にもテープ部材１２ｌが縫着されており、これらのテープ部材により着用者へのフィット性が高められている。また、この裏本体部１２０Ｄの後身頃に、突出部材２０Ｄ及び補助部材３１Ｄ，３２Ｄが設けられている。なお、主本体部１１０Ｄと裏本体部１２０Ｄとは、前身頃と後身頃との両脇側の縫合ラインにおいて縫着されていてもよいし、縫着されていなくてもよい。また、本体部１０Ｄは１重構造であってもよい。
【００５４】
突出部材２０Ｄ及び補助部材３１Ｄ，３２Ｄは、上述した突出部材２０及び補助部材３１，３２を９０度回転させた形状をなしている。すなわち、突出部材２０Ｄは、平面視略長方形状をなしており、裏本体部１２０Ｄの後身頃における後中心近傍に配置されている。突出部材２０Ｄは、左部と右部とにおいて裏本体部１２０Ｄの後身頃に縫着されており、その他の部分は裏本体部１２０Ｄと遊離している。突出部材２０Ｄは、非着用状態において平面状をなしている。一方、着用状態においては、裏本体部１２０Ｄが伸縮する力を利用して、突出部材２０Ｄにおける左右方向の中央部２０ｃが、湾曲状に突出する。より具体的には、着用状態において、裏本体部１２０Ｄがレーサーバック構造によって上下方向に伸長することに伴って、左右方向に縮小する力を利用して、左端部２０Ｌ及び右端部２０Ｒが近づき、中央部２０ｃが湾曲状に突出する。これにより、突出部材２０Ｄの中央部２０ｃは、着用者の第７〜第９胸椎のうちの少なくとも何れかに相当する部分に当接することとなる。
【００５５】
また、補助部材３１Ｄは、突出部材２０Ｄの左端部２０Ｌに沿って上下方向に延在し、左端部２０Ｌから中央線Ｌへ向けて斜め右側上下方向に延在し、更には、右端部２０Ｒの延長線上へ向けて斜め右方向に延在している。一方、補助部材３２Ｄは、突出部材２０Ｄの右端部２０Ｒに沿って上下方向に延在し、右端部２０Ｒから中央線Ｌへ向けて、斜め左側上下方向に延在し、更には、左端部２０Ｌの延長線上へ向けて斜め左方向に延在している。補助部材３１Ｄ，３２Ｄは、着用状態において、裏本体部１２０Ｄが伸縮する力を利用して、すなわち、裏本体部１２０Ｄが上下方向に伸長し、かつ、左右方向に縮小する力を利用して、更に倒れ込む。その結果、補助部材３１Ｄによって、突出部材２０Ｄの左端部２０Ｌを中央線Ｌ側に押す力が作用し、補助部材３２Ｄによって、突出部材２０Ｄの右端部２０Ｒを中央線Ｌ側に押す力が作用する。その結果、補助部材３１Ｄ，３２Ｄは、突出部材２０Ｄの中央部２０ｃが湾曲状に突出することを補助することとなる。
【００５６】
この第５の実施形態の姿勢補整衣類５でも、突出部材２０Ｄ及び補助部材３１Ｄ，３２Ｄを備えているので、第１の実施形態の姿勢補整衣類１と同様の利点を得ることができる。
【００５７】
なお、裏本体部１２０Ｄにおける中央部（突出部材２０Ｄが縫着されている部分）には、縦方向に伸びやすい素材を使用し、その左右両側には、縦横方向に伸びる素材を使用してもよい。これにより、裏本体部１２０Ｄの中央部が縦に伸ばされることにより、横方向に生地が縮小しやすくなる。また、裏本体部１２０Ｄの中央部の生地が縮小しても、その左右両側の生地が縦横に伸びるため、ひきつられることなく、身頃を身体になじませることができる。
【００５８】
なお、第５の実施形態では、突出部材２０Ｄ及び補助部材３１Ｄ，３２Ｄを備える形態を例示したが、補助部材３１Ｄ，３２Ｄを必ずしも備えなくてもよい。
【００５９】
なお、本発明は上記した本実施形態に限定されることなく種々の変形が可能である。図１１は、突出部材の変形例を示す縦断面図である。例えば、本実施形態では、図１１（ａ）に示すように、非着用状態では平面状をなし、着用時に突出する突出部材２０，２０Ｄを例示したが、突出部材は、図１１（ｂ）〜図１１（ｄ）に示すように、非着用状態において既に突出しており、着用時に更に突出してもよいし、非着用状態において既に突出しており、着用状態においてもその状態が保持される態様であってもよい。また、図１１（ｂ）、（ｄ）に示すように、突出部材に厚みのある部材を用いても良い。この場合、着用時に突出する幅に加えて部材自体の幅があるため、より突出幅を持たせることができ、個人差に対応できる。また、肌あたりもソフトにすることができる。また、図１１（ｃ）に示すように、突出部材に予めカーブをつけて、着用時に更に突出させても良い。この場合、予め肌側にカーブがついているので、着用したときに、誤って肌側でなく反対側に突出することを防止できる。
【００６０】
また、本実施形態では、上端部２０ｕから下端部２０ｌにわたって左右方向の幅が一定である平面視長方形状の突出部材２０を例示したが、突出部材の形状はこれに限定されない。例えば、突出部材２０は、図１２（ａ）に示すように、左右方向の幅（すなわち、本体部の伸長方向における幅）が、上端部２０ｕ及び下端部２０ｌ（すなわち、本体部１０の縮小方向における端部）から中央部２０ｃ（縮小方向における中央部）へ向けて次第に狭くなる平面視略長方形状であってもよい。これにより、突出部材２０の中央部２０ｃが湾曲状に突出し易くなる。また、突出部材２０は、図１２（ｂ）に示すように上端部２０ｕ及び下端部２０ｌから中央部２０ｃへ向けて次第に幅が太くなる平面視略長方形状であってもよいし、図１２（ｃ）に示すように平面視ひし形形状であってもよいし、図１２（ｄ）に示すように平面視楕円形状や平面視正円形状であってもよい。
【００６１】
なお、平面視楕円形状や平面視正円形状の突出部材の場合、図１３に示すように、突出部材における周辺部が本体部に縫着（結合）されており（縫着記号Ｓ１）、突出部材におけるその他の部分が本体部に対して遊離していてもよい。この場合、図１３に示すように、突出部材は、非着用状態において既に突出しており、本体部が伸縮する力を利用して変形し、着用時に更に突出してもよい。
【００６２】
また、本実施形態では、突出部材２０，２０Ｄは、本体部が縮小する力を利用して突出したが、本体部が伸長する力を利用して突出してもよい。例えば、図１４に示すように、突出部材２０Ｘは、平面視略長方形状をなすものを折り返して設けられており、突出部材２０Ｘにおける伸長方向に対向する２つの端部２０Ｌ，２０Ｒが本体部１０Ｘに縫着（結合）されており（縫着記号Ｓ１）、突出部材２０Ｘにおけるその他の部分が本体部１０Ｘに対して遊離していてもよい。このとき、突出部材２０Ｘの両側の本体部１０Ｘが引っ張られることにより、突出部材２０Ｘにおける２つの端部２０Ｌ，２０Ｒが互いに離れる方向へ引っ張られる。それによって、突出部材２０Ｘが立ち上がって突出する。また、本体部１０Ｘでは、突出部材２０Ｘの両側の部分より突出部材２０Ｘと重なる部分に伸びやすい素材を用いると、更に好ましい。
【００６３】
また、本実施形態では、突出部材２０の上端部２０ｕに沿って左右方向に延在し、上端部２０ｕから中央線Ｌへ向けて斜め下方脇側方向に延在し、更には、下端部２０ｌの延長線上へ向けて斜め下方に延在する補助部材３１、及び、突出部材２０の下端部２０ｌに沿って左右方向に延在し、下端部２０ｌから中央線Ｌへ向けて斜め上方脇側方向に延在し、更には、上端部２０ｕの延長線上へ向けて斜め上方に延在する補助部材３２を例示したが、例えば、図１５（ａ）に示すように、補助部材３１は上端部２０ｕから中央線Ｌ近傍までしか延在せず、同様に、補助部材３２は下端部２０ｌから中央線Ｌ近傍までしか延在しない形態であってもよい。また、図１５（ｂ）に示すように、補助部材３１は、突出部材２０の上端部２０ｕに沿って左右方向に延在することなく、突出部材２０の上端部２０ｕの中央近傍から中央線Ｌへ向けて斜め下方脇側方向に延在し、同様に、補助部材３２は、突出部材２０の下端部２０ｌに沿って左右方向に延在することなく、突出部材２０の下端部２０ｌの中央近傍から中央線Ｌへ向けて斜め上方脇側方向に延在する形態であってもよい。
また、図１５（ｃ）に示すように、補助部材３１は、突出部材２０の上端部２０ｕに沿って左右方向に延在することなく、突出部材２０の上端部２０ｕの中央近傍から中央線Ｌへ向けて円弧状に斜め下方脇側方向に延在し、同様に、補助部材３２は、突出部材２０の下端部２０ｌに沿って左右方向に延在することなく、突出部材２０の下端部２０ｌの中央近傍から中央線Ｌへ向けて円弧状に斜め上方脇側方向に延在する形態であってもよい。これらの図１５（ａ）〜（ｃ）に示す形態によれば、補助部材３１，３２を比較的に小さく形成することができる。
【００６４】
また、図１５（ｄ）に示すように、図１５（ａ）に示す補助部材３１及び補助部材３２に加えて、補助部材３１，３２の交差部分を通り、左右方向（本体部の伸長方向）に略直交する方向に延在する補助部材３３を更に備える形態であってもよい。また、図１５（ｅ）に示すように、図１５（ｂ）に示す補助部材３１及び補助部材３２に加えて、補助部材３１，３２の交差部分を通り、左右方向（本体部の伸長方向）に延在する補助部材３３を更に備える形態であってもよい。また、図１５（ｆ）に示すように、図１５（ｅ）に示す補助部材３１及び補助部材３２が中央線Ｌ近傍で連結せず、中央線Ｌ近傍における補助部材３１及び補助部材３２の端部それぞれに、左右方向（本体部の伸長方向）に延在する補助部材３３が設けられる形態であってもよい。これらの図１５（ｄ）〜（ｆ）に示す形態によれば、補助部材３３によって、左右方向への引っ張り力を強化することができ、補助部材３１及び補助部材３２が更に倒れ込むこととなる。その結果、補助部材３１及び補助部材３２によって、突出部材２０の上端部２０ｕ及び下端部２０ｌを中央線Ｌ側に押す力が増加し、突出部材２０の中央部２０ｃが更に突出することとなり、また突出部材２０の突出を更に保ちやすくなる。
【００６５】
また、本実施形態では、本体部を２重構造とし、裏本体部に突出部材を直接縫着したが、本体部が１重構造の場合には、補助布を介して突出部材を本体部に縫着してもよい。例えば、図１６に示すように、第２の実施形態の姿勢補整衣類２において、裏本体部１２０Ａを備えず、主本体部１１０Ａに補助布３５を介して突出部材２０を配置する。補助布３５は、主本体部１１０Ａの伸長方向に交差する両端部３５ｌ,３５ｒにおいて主本体部１１０Ａに縫着されており、その他の部分において主本体部１１０Ａと遊離している。一方、突出部材２０は、主本体部１１０Ａの伸長に伴って伸縮する伸縮方向に交差する両端部２０ｕ,２０ｌにおいて補助布３５に縫着され、その他の部分において補助布３５と遊離している。補助布３５としては、上記した裏本体部と同様の生地が適用可能である。なお、本体部が２重構造の場合にも、突出部材２０と補助布３５との組み合わせ構造を適用してもよい。また、補助布３５の上辺は、主本体部の上辺部のテープ部材や裏本体部の下辺部のテープ部材から離した位置に縫着されると、補助布３５の伸縮することに伴う縮小を妨げにくくなるため良い。
【００６６】
また、本実施形態では、突出部材及び補助部材を本体部に縫着する形態を例示したが、突出部材及び補助部材は本体部に樹脂接着等により結合されてもよい。
【００６７】
また、本実施形態では、本体部とは別部材の突出部材及び補助部材を備える形態を例示したが、本発明の突出部及び補助部は本体部の一部に一体的に形成されてもよい。例えば、本体部の一部を布地のパワー切替や刺繍、樹脂、オパール加工等により強くすることで、突出部及び補助部を形成してもよい。
【００６８】
また、本実施形態の特徴は、インナーのみならずアウターであっても、カップ部を備える衣類であればすべてに適用可能である。
【実施例１】
【００６９】
図６（ａ）及び（ｂ）に示す本発明の第２の実施形態の姿勢補整衣類２を実施例として製作し、モニタによる着用評価を行った。図１７（ａ）は、略裸状態のモニタを脇側から撮影した結果を忠実に示す図であり、図１７（ｂ）は、実施例の姿勢補整衣類２を着用したときのモニタを脇側から撮影した結果を忠実に示す図である。
【００７０】
図１７によれば、突出部材２０によって、第７〜第９胸椎のうちの少なくとも何れかをピンポイントで前方に押すことにより、効果的に姿勢を整えることができた。具体的には、ヌード状態と比較して、背中の丸みが改善され、背中よりヒップが後方に出ていることから、背筋が伸びたと考えられる。また、ヌード状態と比較して、腹部がすっきりし、腹部よりもバストが前方に出ていることから、腹部が立ち上がったと考えられる。これより、全身の姿勢バランスが整えられたと考えられる。
【符号の説明】
【００７１】
１，２，３，４，５…姿勢補整衣類、１０，１０Ａ，１０Ｂ，１０Ｃ，１０Ｄ，１０Ｘ…本体部、１０ｆｕ，１０ｆｌ，１０ｂｕ，１０ｂｌ，１２ｌ…テープ部材、１２…カップ部、１４…土台部、１６…バック部、１７…バック引上部（背部引上部）、１８…肩紐部、２０，２０Ｄ，２０Ｘ…突出部材（突出部）、２０ｕ…上端部、２０ｌ…下端部、２０ｃ…中央部、２０Ｌ…左端部、２０Ｒ…右端部、２１…樹脂シート、３１，３２，３１Ｄ，３２Ｄ，３３…補助部材（補助部）、４０…カップワイヤー、１１０，１１０Ａ，１１０Ｂ，１１０Ｄ…主本体部、１２０，１２０Ａ，１２０Ｂ，１２０Ｄ…裏本体部。
【図１】
0005891747.tif 000002
【図２】
0005891747.tif 000003
【図３】
0005891747.tif 000004
【図４】
0005891747.tif 000005
【図５】
0005891747.tif 000006
【図６】
0005891747.tif 000007
【図７】
0005891747.tif 000008
【図８】
0005891747.tif 000009
【図９】
0005891747.tif 000010
【図１０】
0005891747.tif 000011
【図１１】
0005891747.tif 000012
【図１２】
0005891747.tif 000013
【図１３】
0005891747.tif 000014
【図１４】
0005891747.tif 000015
【図１５】
0005891747.tif 000016
【図１６】
0005891747.tif 000017
【図１７】
0005891747.tif 000018